(57)【要約】      （修正有）【課題】多種類の電子製品に適用可能で、双方向より挟持する方式を採用し、挟持できる幅が大きく、異なる規格の携帯電話或いはＰＤＡに適用できる電子製品用固定台を提供する。【解決手段】本体の両側に、同時に反対方向に移動する第１挟持片４０と第２挟持片５０が設けられ、該第１挟持片４０と該第２挟持片５０の底部が重畳状に該主体内に設置され、これら挟持片の同方向の一側にそれぞれラックが設けられ、該主体内に別に、相互に噛み合う第１同軸歯車と第２同軸歯車が設けられ、各同軸歯車の一層の歯車は対応する第１挟持片４０或いは第２挟持片５０のラックと噛み合い、該主体内に別に制動機構が設けられ、該制動機構は制動部を具え、該制動部が制御を受けて第１同軸歯車或いは第２同軸歯車と噛み合うか或いは噛み合い解除し、ロックとロック解除の目的を達成する。【選択図】図５
0003176171.tif 000002
【実用新案登録請求の範囲】
【請求項１】
電子製品用固定台において、ベースとカバーを突き合わせてネジ止めしてなる本体の両側に、同時に反対方向に移動する第１挟持片と第２挟持片が設けられ、該第１挟持片と該第２挟持片の底部が重畳状に該主体内に設置され、これら挟持片の同方向の一側にそれぞれラックが設けられ、該主体内に別に、相互に噛み合う第１同軸歯車と第２同軸歯車が設けられ、各同軸歯車の一層の歯車は対応する第１挟持片或いは第２挟持片のラックと噛み合い、該主体内に別に制動機構が設けられ、該制動機構は制動部を具え、該制動部が制御を受けて第１同軸歯車或いは第２同軸歯車と噛み合うか或いは噛み合い解除し、ロックとロック解除を行うことを特徴とする、電子製品用固定台。
【請求項２】
請求項１記載の電子製品用固定台において、該ベース内に二組の異なる高さのガイド板が、横向きに相互に平行に設置され、該第１挟持片と該第２挟持片の底部にガイドレール溝が設けられて、それぞれ対応する高さの該ガイド板上を移動することを特徴とする、電子製品用固定台。
【請求項３】
請求項１記載の電子製品用固定台において、該第１同軸歯車と該第２同軸歯車はそれぞれの上層歯車が対応する該第１挟持片及び第２挟持片のラックと噛み合い、該制動機構は該ベースに枢設され、両端が該制動部と駆動部とされ、該制動部は該第１同軸歯車の上層歯車と噛み合い、該駆動部が押動されることで該制動部が係止状態を解除することを特徴とする、電子製品用固定台。
【請求項４】
請求項３記載の電子製品用固定台において、別に押しボタンロッドが設けられ、該押しボタンロッドの一端が該制動機構の駆動部に接触し、他端は一部が該ベース外に突出することを特徴とする、電子製品用固定台。
【請求項５】
請求項１記載の電子製品用固定台において、該第１挟持片と該第２挟持片はさらに止滑部材を包含し、該止滑部材は該第１挟持片と該第２挟持片の、外向きに最大に開かれた状態で該ベース内に位置する部分に設けられ、該ベースの対応位置に止め板が設けられることを特徴とする、電子製品用固定台。
【請求項６】
請求項１記載の電子製品用固定台において、第１弾性部材をさらに包含し、該第１弾性部材は該ベースのそのうち二つのガイド板の間に位置し、該第１挟持片と該第２挟持片に外向きに付勢する弾力を提供することを特徴とする、電子製品用固定台。
【請求項７】
請求項３記載の電子製品用固定台において、第２弾性部材をさらに包含し、該ベースに第１弾性止め板が設けられ、該第２弾性部材の一端が該制動機構に接触し、他端が該ベースの第１弾性止め板により係止され、該第２弾性部材が弾力を発生して該制動機構の制動部を回転させて該第１同軸歯車の上層歯車と噛み合わせ、該第１同軸歯車を制止し不動となすことを特徴とする、電子製品用固定台。
【請求項８】
請求項１記載の電子製品用固定台において、第３弾性部材をさらに包含し、該押しボタンロッドが長溝を具え、該長溝に該第３弾性部材が設置され、且つ該ベースが第２弾性止め板を有し、該第３弾性部材の一端は該押しボタンロッドに固定され、他端は該第２弾性止め板に止められたことを特徴とする、電子製品用固定台。
【請求項９】
請求項１記載の電子製品用固定台において、該第１挟持片と該第２挟持片の正面は略Ｌ形を呈することを特徴とする、電子製品用固定台。
【請求項１０】
請求項１記載の電子製品用固定台において、該カバーに複数の支持部材が設けられたことを特徴とする、電子製品用固定台。
【考案の詳細な説明】
【技術分野】
【０００１】
本考案は一種の電子製品用固定台に関する。
【背景技術】
【０００２】
現在、各種の電子製品が続々と出現し、機能は不断に増強され、使用者に極めて大きな利便性をもたらしており、たとえば、携帯電話は現代人にとって不可欠な日常用品になりつつあり、使用者が、空間、時間の制限なく使用できるものとされる。また、ＰＤＡは、単純な記事のみならず、衛星定位及びナビゲーションなどの機能も有するが、その幅は比較的大きいため、いかに車上に固定して使用できるようにし、且つ携帯電話としても使用できるようにして、固定台の設置数を減らすかが、本考案の研究の課題である。
【０００３】
市場にある各種の挟持式固定台は、一方向より挟持するものが多く、それらは携帯電話しか固定できない。また、双方向より挟持するものは、ＰＤＡを固定するには幅が不足し、且つ多くのメーカーが運用している構造は複雑過ぎ、製造組立に不便で、且つ体積が大きくデザインも平凡であり、往々にして消費者に人気がない。これを鑑み、当業界における長年の経験に基づき、使用に便利で、製造コストが低く、多種類の電子製品を保持できる電子製品用固定台を提供することを思い至った。
【考案の概要】
【考案が解決しようとする課題】
【０００４】
本考案の主要な目的は、多種類の電子製品に適用可能で、双方向より挟持する方式を採用し、挟持できる幅が大きく、異なる規格の携帯電話或いはＰＤＡに適用できる電子製品用固定台を提供することにある。
【課題を解決するための手段】
【０００５】
上述の目的を達成するため、本考案の電子製品用固定台は、ベースとカバーを突き合わせてネジ止めしてなる本体の両側に、同時に反対方向に移動する第１挟持片と第２挟持片が設けられ、該第１挟持片と該第２挟持片の底部が重畳状に該主体内に設置され、これら挟持片の同方向の一側にそれぞれラックが設けられ、該主体内に別に、相互に噛み合う第１同軸歯車と第２同軸歯車が設けられ、各同軸歯車の一層の歯車は対応する第１挟持片或いは第２挟持片のラックと噛み合い、該主体内に別に制動機構が設けられ、該制動機構は制動部を具え、該制動部が制御を受けて第１同軸歯車或いは第２同軸歯車と噛み合うか或いは噛み合い解除し、ロックとロック解除の目的を達成する。
【考案の効果】
【０００６】
本考案の電子製品用固定台の運用は、以下のような具体的な作用効果を有している。
１．多種類の異なるサイズの携帯電話に適用できる。
２．幅が携帯電話よりも大きいＰＤＡにも適用可能で、すなわち、単一の電子製品用固定台を異なる種類の電子製品に適用できる。
３．構造が簡単で、生産組立が容易で、生産コストを下げられる。
４．操作が容易でしっかり挟持できる。
５．体積はコンパクトで、デザインが特殊であり、消費者の関心を引き、購買意欲をかきたてることができる。
【図面の簡単な説明】
【０００７】
【図１】本考案の立体分解図である。
【図１Ａ】図１のＡ−Ａ線での第１挟持片の断面図である。
【図１Ｂ】図１のＢ−Ｂ線での第２挟持片の断面図である。
【図２】本考案の使用状態断面平面図である。
【図３】図２の立体使用状態参考図である。
【図４】本考案の使用状態断面平面図である。
【図５】図４の立体使用状態参考図である。
【考案を実施するための形態】
【０００８】
本考案の技術内容、構造特徴、達成する目的を詳細に説明するため、以下に実施例を挙げ並びに図面を組み合わせて説明する。
【０００９】
まず、図１を参照されたい。それは本考案の立体分解図である。本考案は、ベース１０、第１同軸歯車２０と第２同軸歯車３０、第１挟持片４０及び第２挟持片５０、制動機構６０、押しボタンロッド７０、及びカバー８０を包含する。
【００１０】
該カバー８０は、該ベース１０と相互に結合されて本考案の主体の形状を構成し、並びに該第１同軸歯車２０と該第２同軸歯車３０、一部の第１挟持片４０と第２挟持片５０、該制動機構６０、及び一部の押しボタンロッド７０が該カバー８０と該ベース１０の間に被覆され、且つ該ベース１０はネジ孔Ｈを具えてネジ（図示せず）を通して該カバー８０とネジ止めするのに供される。
【００１１】
該ベース１０に二組の異なる高さの複数のガイド板１１Ａ、１１Ｂが相互に平行に設けられ、且つ該第１挟持片４０と該第２挟持片５０の底部に複数のガイドレール溝４１（第２挟持片のガイドレール溝は表示されていないが、その形状は第１挟持片４０のガイドレール溝４１と類似する）が設けられ、これにより、該第１挟持片４０と第２挟持片５０の底部がそれぞれ該ベース１０のガイド板１１Ａ、１１Ｂ上で移動し相互に干渉しないものとされる。
【００１２】
図１のＡ−Ａ断面図である図１Ａ、及び図１のＢ−Ｂ断面図である図１Ｂを参照されたい。好ましくは、該第１挟持片４０と該第２挟持片５０にさらに止滑部材４３、５３が設けられ、それは該第１挟持片４０と該第２挟持片５０が外向きに最大に引き出された適当な部分に設けられ、且つ該ベース１０の対応部分には、止め板１４、１５が設けられる（図１参照）。これにより、該第１挟持片４０と第２挟持片５０の外向きの滑り落ちが防止される。そのうち、該第１挟持片４０及び第２挟持片５０の正面は略Ｌ形を呈し、これにより挟持機能を提供する。
【００１３】
図１を参照されたい。該ベース１０はさらに第１歯車軸心１２と第２歯車軸心１３を具え、且つ該第１同軸歯車２０と第２同軸歯車３０はそれぞれ該ベース１０の第１歯車軸心１２、第２歯車軸心１３に組み合わされる。そのうち、該第１同軸歯車２０と第２同軸歯車３０の底部２１、３１は相互に噛み合い、適宜伝動する。
【００１４】
さらに、該第１挟持片４０と第２挟持片５０の一側にそれぞれラック４２、５２が設けられ、該第１同軸歯車２０と第２同軸歯車３０が対応する第１挟持片４０のラック４２或いは第２挟持片５０のラック５２と噛み合う。これにより、該第１同軸歯車２０と第２同軸歯車３０の伝動作用により、該第１挟持片４０と第２挟持片５０が同期して移動する。そのうち、該第１同軸歯車２０の上層２２は第２同軸歯車３０の上層３２より厚く、これにより順調に該第１挟持片４０と第２挟持片５０を駆動し移動させられる（図４のとおり）。
【００１５】
好ましくは、本考案はさらに第１弾性部材９０を包含し、該第１弾性部材９０はベース１０の二つのガイド板１１Ｂの間に位置し（図２のとおり）、一端が並びに該第２挟持片５０のキャッチ端５４部分を係止し、これにより、該第１挟持片４０と第２挟持片５０が外向きに開かれる弾力が提供される。
【００１６】
該制動機構６０は制動部６１を具え、該制動部６１は制御を受けて該第１同軸歯車２０と第２同軸歯車３０の、そのうち一つの歯車と噛み合うか或いは噛み合い状態を解除し、これにより、ロックとロック解除の目的を達成する。本実施例では、該制動機構６０は回転可能であり、該制動部６１は該第１同軸歯車２０の上層２２と相互に噛み合い、該第１同軸歯車２０を制止し不動とする。且つ、該制動機構６０はさらに駆動部６２を有し、該駆動部６２が駆動されることで、該制動機構６０が回転させられ、すなわち、該制動部６１が噛み合い状態を解除し、これにより、該第１挟持片４０と第２挟持片５０が外向きに弾き開かれる。そのうち、該制動機構６０は平面図で略Ｖ形を呈し、該制動部６１と該駆動部６２は軸棒６３で接続され、且つ該軸棒６３は該ベース１０の軸棒位置決め孔に位置し、該軸棒６３の位置決めにより、該制動機構６０が回転を発生する。該駆動部６２が直接主体外に延伸される時、直接係止のタイミングを制御できるが、本実施例に別に横向きに移動可能な押しボタンロッド７０を増設できる。そのうち、押しボタンロッド７０の別端は部分的に該ベース１０外に突出し、横向き移動可能であり、使用者が該駆動部６２を押動するのに使用できる（図２の使用状態参考図も参照されたい）。
【００１７】
好ましくは、さらに第２弾性部材１１０を包含し、且つ該ベース１０は第１弾性止め板１６を具え、これにより、該第２弾性部材１１０の一端は該制動機構６０のバネ支持柱６４に位置し、他端は該ベース１０の第１弾性止め板１６に止められ、該第２弾性部材１１０が弾力を発生して、該制動機構６０の制動部６１を該第１同軸歯車２０の上層に付き当てて相互に噛み合わせ、該第１同軸歯車２０を保持して制動し不動となし、その後、該押しボタンロッド７０が押されて該制動機構６０の駆動部６２を押動する時、該制動部６１が該第１同軸歯車２０より離脱させられる。
【００１８】
さらに、本考案は第３弾性部材１２０を包含し、該第３弾性部材１２０は該押しボタンロッド７０の長溝７１内に位置し、該長溝７１内にはバネ支持柱７２があり、該第３弾性部材１２０を位置決めする。且つ、該ベース１０に対応して第２弾性止め板１７が設けられ、該第３弾性手段１２０の一端が該押しボタンロッド７０により固定され、他端は該第２弾性止め板１７により止められる。これにより、該押しボタンロッド７０の回復力が提供される（外向きに弾性回復する）。
【００１９】
このほか、本考案はさらに複数の支持部材１３０を具え、それは該カバー８０をとおりベース１０に固定される。特に、該カバー８０はこれら支持部材１３０を通すための支持部材孔８１を具え、該ベース１０はこれら支持部材１３０を固定するための支持部材固定座１３１を具えている。使用時には、図３或いは図５のように、該支持部材１３０は携帯電話Ｍの底部を固定できる。
【００２０】
これにより、使用時は、図２から図５に示されるように、押しボタンロッド７０を押動して制動部６１を制動状態より離脱させると、第１弾性部材９０が第１挟持片４０と第２挟持片５０を外向きに弾き開く。携帯電話Ｍのサイズに合わせて、該第１挟持片４０と第２挟持片５０を内向きに押動して携帯電話Ｍを挟む。第２弾性部材１１０の弾力により、制動部６１が該第１同軸歯車２０を制止し、これにより、該第１挟持片４０と第２挟持片５０の携帯電話に対する挟持状態が固定される。第１挟持片４０と第２挟持片５０の最大の開放距離は携帯電話の幅よりも大きく、幅が比較的大きな電子製品、たとえばＰＤＡも挟持できる。
【００２１】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００２２】
１０  ベース
１１Ａ、１１Ｂ  ガイド板
１２  第１歯車軸心
１３  第２歯車軸心
１４、１５  止め板
１６  第１弾性止め板
１７  第２弾性止め板
２０  第１同軸歯車
３０  第２同軸歯車
２１  第１同軸歯車底部
３１  第２同軸歯車底部
２２  第１同軸歯車上層
３２  第２同軸歯車上層
４０  第１挟持片
５０  第２挟持片
４１  ガイドレール溝
４２、５２  ラック
４３、５３  止滑部材
５４  キャッチ端
６０  制動機構
６１  制動部
６２  駆動部
６３  軸棒
６４  バネ支持柱
７０  押しボタンロッド
７１  長溝
７２  バネ支持柱
８０  カバー
８１  支持部材孔
９０  第１弾性部材
１１０  第２弾性部材
１２０  第３弾性部材
１３０  支持部材
１３１  支持部材固定座
Ｈ  ネジ孔
Ｍ  携帯電話
【図１】
0003176171.tif 000003
【図１Ａ】
0003176171.tif 000004
【図１Ｂ】
0003176171.tif 000005
【図２】
0003176171.tif 000006
【図３】
0003176171.tif 000007
【図４】
0003176171.tif 000008
【図５】
0003176171.tif 000009